【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
被験体の肢の対の第一の肢と連結するための第一の連結手段を持つ、第一の関節接合部材（articulating member）であって、二次元または三次元空間内で動くことができ、且つ二次元または三次元空間内で該肢を所望の幾何学的配置（geometry）および／もしくは所望のロケーション（location）に保つよう適合し且つ／または所望の動きを通じて該肢を動かすよう適合している、第一の関節接合部材と；
被験体の該肢の対の第二の肢と連結するための第二の連結手段を持つ、第二の関節接合部材であって、二次元または三次元空間内で該第二の肢により動かされるよう適合している、第二の関節接合部材と；
該第一の肢もしくはその一部および／または該第二の肢もしくはその一部を該被験体が見ることを防ぐための手段と；
二次元または三次元空間内の該第一の肢の角度幾何学的配置データおよび／またはロケーションデータおよび／または動きデータを取得するための手段と；
二次元または三次元空間内の該第二の肢の角度幾何学的配置データおよび／またはロケーションデータおよび／または動きデータを取得するための手段と；
該第一の肢の該データを該第二の肢の該データと比較するための手段と
を含む、被験体の肢またはその一部に関する固有受容データを取得するための装置。
【請求項２】
第一の関節接合部材が二次元または三次元空間内で第一の肢をある位置および／もしくはロケーションまで誘導するよう且つ／または動きを通じて誘導するよう、第一の関節接合部材が駆動システムを含む、請求項1記載の装置。
【請求項３】
第一の関節接合部材に被験体の肢の対の第一の肢を連結する段階であって、第一の関節接合部材は、二次元または三次元空間内で動くことができ、且つ二次元または三次元空間内で該肢を所望の幾何学的配置および／もしくは所望のロケーションに保つよう適合し且つ／または所望の動きを通じて該肢を動かすよう適合している、段階；
第二の関節接合部材に被験体の該肢の対の第二の肢を連結する段階であって、第二の関節接合部材は、二次元または三次元空間内で第二の肢により動かされるよう適合している、段階；
該第一の肢もしくはその一部および／または該第二の肢もしくはその一部をマッチングタスク（matching task）を行う該被験体が見ることを防ぎつつ、二次元または三次元空間内の該第一の肢もしくはその一部および／または該第二の肢もしくはその一部の、角度幾何学的配置データおよび／またはロケーションデータおよび／または動きデータを取得する段階；ならびに
該第一の肢の該データを該第二の肢の該データと比較する段階であって、該比較が被験体の肢に関連する固有受容についての情報を提供する、段階
を含む、被験体における固有受容を評価するための方法。
【請求項４】
第一の肢のデータが二次元または三次元空間内の該第一の肢の全部または一部のロケーションデータおよび／または角度幾何学的配置データであり、且つ第二の肢のデータが二次元または三次元空間内の該第二の肢の全部または一部のロケーションデータおよび／または角度幾何学的配置データである、請求項3記載の方法。
【請求項５】
第二の肢の一部が第一の肢の一部に対応する、請求項3記載の方法。
【請求項６】
第一の肢のデータが二次元または三次元空間内の該第一の肢の軌道データを含み、且つ第二の肢のデータが二次元または三次元空間内の該第二の肢の軌道データを含む、請求項3記載の方法。
【請求項７】
前記比較が、被験体の脳傷害および／または神経疾患についての情報を提供する、請求項3記載の方法。
【請求項８】
前記比較が、被験体の肢の動作障害に関連する神経および／または筋肉の問題についての情報を提供する、請求項3記載の方法。
【請求項９】
被験体の注視方向（gaze direction）をモニターし、且つ該被験体の注視方向を二次元または三次元空間内の第一の肢またはその一部の角度幾何学的配置および／またはロケーションおよび／または動き、ならびに／または第二の肢またはその一部の角度幾何学的配置および／またはロケーションおよび／または動きと関連付けるための手段
を含む、請求項1記載の装置。
【請求項１０】
被験体の肢の対の第一の肢を第一の関節接合部材に連結する段階であって、該第一の関節接合部材は、二次元または三次元空間内で動くことができ、且つ、二次元または三次元空間内で該第一の肢を所望の幾何学的配置および／もしくは所望のロケーションに保ち且つ／または二次元または三次元空間内で該第一の肢を所望の動きを通じて動かすよう適合している、段階；
被験体の該肢の対の第二の肢を第二の関節接合部材に連結する段階であって、該第二の関節接合部材は、二次元または三次元空間内で第二の肢により動かされるよう適合している、段階；
該第一の肢もしくはその一部および／または該第二の肢もしくはその一部をマッチングタスクを行う該被験体が見ることを防ぎながら、二次元または三次元空間内の該第一の肢もしくはその一部および／または該第二の肢もしくはその一部の、角度幾何学的配置データおよび／またはロケーションデータおよび／または動きデータを取得する段階；
該被験体が該第一の肢もしくはその一部および／または該第二の肢もしくはその一部の知覚ロケーションの方を見る際に該被験体の注視方向をモニターする段階；ならびに
該被験体の注視方向を二次元または三次元空間内の該第一の肢もしくはその一部および／または該第二の肢もしくはその一部の角度幾何学的配置および／またはロケーションおよび／または動きと関連付ける段階であって、該被験体の肢に関連する固有受容についての情報を提供する、段階
を含む、被験体における固有受容を評価するための方法。
【請求項１１】
第二の肢の一部が第一の肢の一部に対応する、請求項10記載の方法。
【請求項１２】
被験体の注視方向を二次元または三次元空間内の第一の肢もしくはその一部および／または第二の肢もしくはその一部の角度幾何学的配置および／またはロケーションおよび／または動きと関連付けることが、該被験体の脳傷害および／または神経疾患についての情報を提供する、請求項10記載の方法。
【請求項１３】
被験体の注視方向を二次元または三次元空間内の第一の肢もしくはその一部および／または第二の肢もしくはその一部の角度幾何学的配置および／またはロケーションおよび／または動きと関連付けることが、該被験体の肢の動作障害に関連する神経および／または筋肉の問題についての情報を提供する、請求項10記載の方法。
【手続補正２】
【補正対象書類名】明細書
【補正対象項目名】００５１
【補正方法】変更
【補正の内容】
【００５１】
本発明のさらなる局面は、本明細書に説明する方法および装置のうち任意のものを含む、被験体の固有受容を評価するための方法、被験体の脳傷害および／または神経疾患を診断または検出するための方法、被験体の肢の動作障害に関連する神経および／または筋肉の問題を診断および／または検出するための方法、ならびに被験体の身体図式の障害を評価または検出するための方法に関する。
[請求項1001]
被験体の肢の対の第一の肢と連結するための第一の連結手段を持つ、第一の関節接合部材(articulating member)であって、二次元または三次元空間内で動くことができ、且つ二次元または三次元空間内で該肢を所望の幾何学的配置(geometry)および/もしくは所望のロケーション(location)に保つよう適合し且つ/または所望の動きを通じて該肢を動かすよう適合している、第一の関節接合部材と;
被験体の該肢の対の第二の肢と連結するための第二の連結手段を持つ、第二の関節接合部材であって、二次元または三次元空間内で該第二の肢により動かされるよう適合している、第二の関節接合部材と;
二次元または三次元空間内の該第一の肢の幾何学的配置および/またはロケーションおよび/または動きに関するデータを取得するための手段と;
二次元または三次元空間内の該第二の肢の幾何学的配置および/またはロケーションおよび/または動きに関するデータを取得するための手段と
を含む、被験体の肢またはその一部に関する固有受容データを取得するための装置。
[請求項1002]
第一の関節接合部材が二次元または三次元空間内で第一の肢をある位置および/もしくはロケーションまで誘導するよう且つ/または動きを通じて誘導するよう、第一の関節接合部材が駆動システムを含む、請求項1001記載の装置。
[請求項1003]
二次元または三次元空間内の第一の肢の幾何学的配置および/またはロケーションおよび/または動きに関するデータを、二次元または三次元空間内の第二の肢の幾何学的配置および/またはロケーションおよび/または動きに関するデータと比較するための手段をさらに含む、請求項1001記載の装置。
[請求項1004]
第一の関節接合部材に被験体の肢の対の第一の肢を連結する段階であって、第一の関節接合部材は、二次元または三次元空間内で動くことができ、且つ二次元または三次元空間内で該肢を所望の幾何学的配置および/もしくは所望のロケーションに保つよう適合し且つ/または所望の動きを通じて該肢を動かすよう適合している、段階;
第二の関節接合部材に被験体の該肢の対の第二の肢を連結する段階であって、第二の関節接合部材は、二次元または三次元空間内で第二の肢により動かされるよう適合している、段階;
二次元または三次元空間内の該第一の肢の幾何学的配置および/またはロケーションおよび/または動きに関するデータを取得する段階;ならびに
二次元または三次元空間内の該第二の肢の幾何学的配置および/またはロケーションおよび/または動きに関するデータを取得する段階
を含む、被験体の肢またはその一部に関する固有受容データを取得するための方法。
[請求項1005]
第一の肢のデータが二次元または三次元空間内の該第一の肢の全部または一部のロケーションおよび/または幾何学的配置に関し、且つ第二の肢のデータが二次元または三次元空間内の該第二の肢の全部または一部のロケーションおよび/または幾何学的配置に関する、請求項1004記載の方法。
[請求項1006]
第二の肢の一部が第一の肢の一部に対応する、請求項1004記載の方法。
[請求項1007]
第一の肢のデータが二次元または三次元空間内の該第一の肢の軌道に関するデータを含み、且つ第二の肢のデータが二次元または三次元空間内の該第二の肢の軌道に関するデータを含む、請求項1004記載の方法。
[請求項1008]
マッチングタスク(matching task)を行う被験体の固有受容データを請求項1004記載の方法に基づいて取得する段階;および
2つの肢について取得されたデータを比較する段階
を含み、該比較が、該被験体の肢に関する固有受容についての情報を提供する、被験体の固有受容を評価するための方法。
[請求項1009]
マッチングタスクを行う被験体の固有受容データを請求項1004記載の方法に基づいて取得する段階;および
2つの肢について取得されたデータを比較する段階
を含み、該比較が、該被験体の脳傷害および/または神経疾患についての情報を提供する、被験体の脳傷害および/または神経疾患を診断または検出するための方法。
[請求項1010]
マッチングタスクを行う被験体の固有受容データを請求項1004記載の方法に基づいて取得する段階;および
2つの肢について取得されたデータを比較する段階
を含み、該比較が、該被験体の肢の動作障害に関連する神経および/または筋肉の問題についての情報を提供する、被験体の肢の動作障害に関連する神経および/または筋肉の問題を検出するための方法。
[請求項1011]
被験体の肢の対の第一の肢と連結するための連結手段を持つ、関節接合部材であって、二次元または三次元空間内で動くことができ、且つ二次元または三次元空間内で該第一の肢を所望の幾何学的配置および/もしくは所望のロケーションに保つよう適合し且つ/または所望の動きを通じて該第一の肢を動かすよう適合している、関節接合部材と;
二次元または三次元空間内の該第一の肢またはその一部の幾何学的配置および/またはロケーションおよび/または動きに関するデータを取得するための手段と;
被験体の注視方向(gaze direction)をモニターし、且つ該被験体の注視方向を二次元または三次元空間内の該第一の肢またはその一部の幾何学的配置および/またはロケーションおよび/または動きと関連付けるための手段
とを含む、被験体の肢またはその一部に関する固有受容データを取得するための装置。
[請求項1012]
関節接合部材が二次元または三次元空間内で第一の肢をある位置および/もしくはロケーションまで誘導する且つ/または動きを通じて誘導するよう、関節接合部材が駆動システムを含む、請求項1011記載の装置。
[請求項1013]
被験体の肢の対の第二の肢と連結するための第二の連結手段を持つ、第二の関節接合部材であって、二次元または三次元空間内で該第二の肢により動かされるよう適合している、第二の関節接合部材と;
二次元または三次元空間内の該第二の肢またはその一部の幾何学的配置および/またはロケーションおよび/または動きに関するデータを取得するための手段
とをさらに含む、請求項1011記載の装置。
[請求項1014]
被験体の肢の対の第一の肢を関節接合部材に連結する段階であって、該関節接合部材は、該第一の肢を該被験体が見ることを防ぎながら、二次元または三次元空間内で該第一の肢を所望の幾何学的配置および/もしくは所望のロケーションに保ち且つ/または二次元または三次元空間内で該第一の肢を所望の動きを通じて動かす、段階;
二次元または三次元空間内の該第一の肢またはその一部の幾何学的配置および/またはロケーションおよび/または動きに関するデータを取得する段階;
該被験体が該第一の肢またはその一部の知覚ロケーションの方を見る際に該被験体の注視方向をモニターする段階;ならびに
該被験体の注視方向を二次元または三次元空間内の該第一の肢またはその一部の幾何学的配置および/またはロケーションおよび/または動きと関連付ける段階
を含む、被験体の肢またはその一部に関する固有受容データを取得するための方法。
[請求項1015]
被験体の肢の対の第二の肢を第二の関節接合部材に連結する段階であって、第二の関節接合部材は、二次元または三次元空間内で該第二の肢により動かされるよう適合されている、段階;
該被験体が該第二の肢を第一の肢の知覚された幾何学的配置および/もしくはロケーションまで動かすかまたは該第一の肢の知覚された動きを通じて動かす際に、二次元または三次元空間内の該第二の肢またはその一部の幾何学的配置および/またはロケーションおよび/または動きに関するデータを取得する段階;ならびに
該被験体が該第一の肢もしくはその一部および/または第二の肢もしくはその一部の知覚ロケーションの方を見る際に該被験体の注視方向をモニターする段階
をさらに含む、請求項1014記載の方法。
[請求項1016]
第二の肢の一部が第一の肢の一部に対応する、請求項1015記載の方法。
[請求項1017]
マッチングタスクを行う被験体の固有受容データを請求項1014記載の方法に基づいて取得する段階を含み、
該被験体の注視方向を二次元または三次元空間内の第一の肢またはその一部の幾何学的配置および/またはロケーションおよび/または動きと関連付けることが、該被験体の肢に関連する固有受容についての情報を提供する、
被験体の固有受容を評価するための方法。
[請求項1018]
マッチングタスクを行う被験体の固有受容データを請求項1014記載の方法に基づいて取得する段階を含み、
該被験体の注視方向を二次元または三次元空間内の第一の肢またはその一部の幾何学的配置および/またはロケーションおよび/または動きと関連付けることが、該被験体の脳傷害および/または神経疾患についての情報を提供する、
被験体の脳傷害および/または神経疾患を診断または検出するための方法。
[請求項1019]
マッチングタスクを行う被験体の固有受容データを請求項1014記載の方法に基づいて取得する段階を含み、
該被験体の注視方向を二次元または三次元空間内の第一の肢またはその一部の幾何学的配置および/またはロケーションおよび/または動きと関連付けることが、該被験体の肢の動作障害に関連する神経および/または筋肉の問題についての情報を提供する、
被験体の肢の動作障害に関連する神経および/または筋肉の問題を検出するための方法。
[請求項1020]
マッチングタスクを行う被験体の固有受容データを請求項1015記載の方法に基づいて取得する段階を含み、
該被験体の注視方向を二次元または三次元空間内の第一の肢またはその一部の幾何学的配置および/またはロケーションおよび/または動きと関連付けることが、該被験体の肢に関連する固有受容についての情報を提供する、
被験体の固有受容を評価するための方法。
[請求項1021]
マッチングタスクを行う被験体の固有受容データを請求項1015記載の方法に基づいて取得する段階を含み、
該被験体の注視方向を二次元または三次元空間内の第一の肢またはその一部の幾何学的配置および/またはロケーションおよび/または動きと関連付けることが、該被験体の脳傷害および/または神経疾患についての情報を提供する、
被験体の脳傷害および/または神経疾患を診断または検出するための方法。
[請求項1022]
マッチングタスクを行う被験体の固有受容データを請求項1015記載の方法に基づいて取得する段階を含み、
該被験体の注視方向を二次元または三次元空間内の第一の肢またはその一部の幾何学的配置および/またはロケーションおよび/または動きと関連付けることが、該被験体の肢の動作障害に関連する神経および/または筋肉の問題についての情報を提供する、
被験体の肢の動作障害に関連する神経および/または筋肉の問題を検出するための方法。